【手続補正書】
【提出日】令和2年5月13日(2020.5.13)
【手続補正１】
【補正対象書類名】特許請求の範囲
【補正対象項目名】全文
【補正方法】変更
【補正の内容】
【特許請求の範囲】
【請求項１】
回転可能な感光体と、
ガイド部と座面とを有し、前記感光体を回転可能に支持するフレームと、
前記感光体の回転軸線方向の一端側に設けられ、前記感光体が回転した状態において前記感光体に生じる回転駆動力を伝達する駆動伝達部材と、
前記感光体と接触し前記感光体の回転と共に回転するローラと、
前記ローラを回転可能に支持し、前記回転軸線方向の前記一端側に配置され、前記ガイド部に案内されて前記回転軸と直交する方向に移動可能に構成された軸受部材と、
前記ローラが前記感光体に当接するように前記軸受部材を付勢する弾性部材であって、前記弾性部材の一端が前記軸受部材に支持され、前記弾性部材の前記一端とは反対側の他端が前記座面に支持されている弾性部材と、を有し、
前記弾性部材は、前記軸受部材に作用する前記ローラの回転軸回りの前記弾性部材からの第１の力によって発生する第１の回転モーメントの方向と、前記ローラが回転した状態で前記軸受部材に作用する前記ローラの回転軸回りの前記ローラからの第２の力によって発生する第２の回転モーメントの方向とが同じになるように、前記軸受部材および前記座面によって支持されていることを特徴とする感光体ユニット。
【請求項２】
前記座面は前記弾性部材がそれぞれ接触する第１座面と第２座面を備え、前記感光体の回転方向に関して前記第１座面は前記第２座面よりも上流に配置され、
前記弾性部材の付勢方向に関して、前記第２座面の方が、前記第１座面よりも前記ローラと前記感光体との接触点に近くに配置されていることを特徴とする請求項１に記載の感光体ユニット。
【請求項３】
前記第１座面は、前記弾性部材と電気的に接続される接点の表面であることを特徴とする請求項２に記載の感光体ユニット。
【請求項４】
前記弾性部材の一端部は、前記軸受部材と接触し、前記軸受部材に設けられた第１位置規制部によって前記感光体の回転方向の位置が規制され、
前記弾性部材の他端部は、前記座面と接触し、前記座面に設けられた第２位置規制部によって前記感光体の回転方向の位置が規制され、
前記感光体の回転方向に関して、前記弾性部材の一端部は前記弾性部材の他端部よりも下流に配置されていることを特徴とする請求項１乃至３のいずれか一項に記載の感光体ユニット。
【請求項５】
回転可能な感光体と、
ガイド部と座面とを有し、前記感光体を回転可能に支持するフレームと、
前記感光体の回転軸線方向の一端側に設けられ、前記感光体が回転した状態において前記感光体に生じる回転駆動力を伝達する駆動伝達部材と、
前記感光体と接触し前記感光体の回転と共に回転するローラと、
前記ローラを回転可能に支持し、前記回転軸線方向の前記一端側に配置され、前記ガイド部に案内されて前記回転軸と直交する方向に移動可能に構成された軸受部材と、
前記ローラが前記感光体に当接するように前記軸受部材を付勢するコイルばねであって、前記コイルばねの一端が前記軸受部材に支持され、前記コイルばねの前記一端とは反対側の他端が前記座面に支持されているコイルばねと、を有し、
前記コイルばねの軸線が前記感光体の回転方向の上流側が凸状に屈曲するように、前記コイルばねは前記軸受部材と前記座面によって支持されていることを特徴とする感光体ユニット。
【請求項６】
前記座面は前記コイルばねがそれぞれ接触する第１座面と第２座面を備え、前記感光体の回転方向に関して前記第１座面は前記第２座面よりも上流に配置され、
前記コイルばねの付勢方向に関して、前記第２座面の方が、前記第１座面よりも前記ローラと前記感光体との接触点に近くに配置されていることを特徴とする請求項５に記載の感光体ユニット。
【請求項７】
回転可能な感光体と、
ガイド部と座面とを有し、前記感光体を回転可能に支持するフレームと、
前記感光体の回転軸線方向の一端側に設けられ、前記感光体が回転した状態において前記感光体に生じる回転駆動力を伝達する駆動伝達部材と、
前記感光体と接触し前記感光体の回転と共に回転するローラと、
前記ローラを回転可能に支持し、前記回転軸線方向の前記一端側に配置され、前記ガイド部に案内されて前記回転軸と直交する方向に移動可能に構成された軸受部材と、
前記ローラが前記感光体に当接するように前記軸受部材を付勢するコイルばねであって、前記コイルばねの一端が前記軸受部材に支持され、前記コイルばねの前記一端とは反対側の他端が前記座面に支持されているコイルばねと、を有し、
前記座面は、前記コイルばねがそれぞれ接触する第１座面と第２座面を備え、前記感光体の回転方向に関して、前記第１座面は前記第２座面よりも上流に配置され、前記コイルばねの付勢方向に関して、前記第２座面の方が、前記第１座面よりも前記ローラと前記感光体との接触点の近くに配置されていることを特徴とする感光体ユニット。
【請求項８】
前記第１座面は、前記コイルばねと電気的に接続される接点の表面であることを特徴とする請求項６または７に記載の感光体ユニット。
【請求項９】
前記コイルばねの一端部は、前記軸受部材と接触し、前記軸受部材に設けられた第１位置規制部によって前記感光体の回転方向の位置が規制され、
前記コイルばねの他端部は、前記座面と接触し、前記座面に設けられた第２位置規制部によって前記感光体の回転方向の位置が規制され、
前記感光体の回転方向に関して、前記コイルばねの一端部は前記コイルばねの他端部よりも下流に配置されていることを特徴とする請求項５乃至８のいずれか一項に記載の感光体ユニット。
【請求項１０】
前記ローラは、前記感光体の回転に従動して回転することを特徴とする請求項１乃至９のいずれか一項に記載の感光体ユニット。
【請求項１１】
前記感光体は、前記ローラの回転軸線方向に関して他端側に前記感光体を駆動するための駆動力を受ける駆動力受け部を備えることを特徴とする請求項１乃至１０のいずれか一項に記載の感光体ユニット。
【請求項１２】
前記ローラは電圧を印加され、前記感光体を帯電する帯電ローラであることを特徴とする請求項１乃至１１のいずれか一項に記載の感光体ユニット。
【手続補正２】
【補正対象書類名】明細書
【補正対象項目名】発明の名称
【補正方法】変更
【補正の内容】
【発明の名称】感光体ユニット
【手続補正３】
【補正対象書類名】明細書
【補正対象項目名】０００１
【補正方法】変更
【補正の内容】
【０００１】
本発明は、複写機、プリンタ（ＬＥＤプリンタ、レーザビームプリンタ等）、ファクシミリ装置及びワードプロセッサ等の電子写真画像形成方式を用いて記録媒体に画像を形成するための感光体ユニットに関する。
【手続補正４】
【補正対象書類名】明細書
【補正対象項目名】０００７
【補正方法】変更
【補正の内容】
【０００７】
本発明の感光体ユニットは、回転可能な感光体と、ガイド部と座面とを有し、前記感光体を回転可能に支持するフレームと、前記感光体の回転軸線方向の一端側に設けられ、前記感光体が回転した状態において前記感光体に生じる回転駆動力を伝達する駆動伝達部材と、前記感光体と接触し前記感光体の回転と共に回転するローラと、前記ローラを回転可能に支持し、前記回転軸線方向の前記一端側に配置され、前記ガイド部に案内されて前記回転軸と直交する方向に移動可能に構成された軸受部材と、前記ローラが前記感光体に当接するように前記軸受部材を付勢する弾性部材であって、前記弾性部材の一端が前記軸受部材に支持され、前記弾性部材の前記一端とは反対側の他端が前記座面に支持されている弾性部材と、を有し、前記弾性部材は、前記軸受部材に作用する前記ローラの回転軸回りの前記弾性部材からの第１の力によって発生する第１の回転モーメントの方向と、前記ローラが回転した状態で前記軸受部材に作用する前記ローラの回転軸回りの前記ローラからの第２の力によって発生する第２の回転モーメントの方向とが同じになるように、前記軸受部材および前記座面によって支持されていることを特徴とする。
【手続補正５】
【補正対象書類名】明細書
【補正対象項目名】００４７
【補正方法】変更
【補正の内容】
【００４７】
次に、ドラム６２の駆動状態における、帯電ローラ軸受６７が帯電ローラ軸受ガイド面９１の中でとる姿勢について説明する。図１９に示すように、ドラム６２の駆動時に、帯電ローラ６６は、ドラム６２とゴム６６ｂ部の間の摩擦による方向Ｉの力と、軸受部１０４と帯電ローラ６６の芯金部６６ａの間の摺動による摺動摩擦モーメントＧ１を受ける。また、前述したように、帯電ローラ軸受６７には帯電ローラバネ６８から復元モーメントＧ２が作用する。これらの力の関係で帯電ローラ軸受６７の姿勢が決まる。例えば、Ｇ１とＧ２が同じ方向の場合は図１８（ｂ）に示すように、第２ガイド面９１ｂと第２被ガイド面１０１ｂが点Ｓで接し、第１ガイド面９１ａと第１被ガイド面１０１ａが点Ｑで接するように帯電ローラ軸受６７が傾いた姿勢となる。また、Ｇ１とＧ２が互いに逆方向の場合は、Ｇ１＞Ｇ２のときは図１８（ｂ）の姿勢となり、Ｇ１＜Ｇ２のときは図１８（ｃ）に示すように、９１ｂと１０１ｂが点Ｎで接し、９１ａと１０１ａが点Ｖで接するように帯電ローラ軸受６７が傾いた姿勢となる。